【手続補正書】
【提出日】平成19年7月20日(2007.7.20)
【手続補正１】
【補正対象書類名】特許請求の範囲
【補正対象項目名】全文
【補正方法】変更
【補正の内容】
【特許請求の範囲】
【請求項１】
（１）酸化物に粉砕処理を施す工程、および（２）酸化物表面に金属を担持する工程、により得られた金属を担持した酸化物を、５００℃〜１２００℃で炭素含有化合物と接触させカーボンナノチューブを合成することを特徴とするカーボンナノチューブの製造方法。
【請求項２】
酸化物の粉砕により、該酸化物の粒径分布が、１０μｍ以下の粒子の累積体積が全粒子の総体積の９５％以上であることを特徴とする請求項１に記載のカーボンナノチューブの製造方法。
【請求項３】
酸化物の粉砕により、該酸化物の粒径分布が、１μｍ以下の粒子の累積体積が全粒子の総体積の９５％以上であることを特徴とする請求項１に記載のカーボンナノチューブの製造方法。
【請求項４】
粉砕処理後の酸化物の粒径分布を実質的に維持したまま、５００℃〜１２００℃で炭素含有化合物と接触させカーボンナノチューブを合成することを特徴とする請求項１〜３のいずれかに記載のカーボンナノチューブの製造方法。
【請求項５】
酸化物に金属を担持し、５００℃〜１２００℃で炭素含有化合物と接触させることによりカーボンナノチューブを合成する方法において、カーボンナノチューブを合成した後でカーボンナノチューブと酸化物を含有する組成物を粉砕して、該酸化物の粒径分布が、１０μｍ以下の粒子の累積体積が全粒子の総体積の９５％以上となるようにすることを特徴とするカーボンナノチューブの製造方法。
【請求項６】
該酸化物の粒径分布が、１μｍ以下の粒子の累積体積が全粒子の総体積の９５％以上となるようにすることを特徴とする請求項５に記載のカーボンナノチューブの製造方法。
【請求項７】
カーボンナノチューブと酸化物を含有する組成物の粉砕を、カーボンナノチューブと酸化物を含む組成物からカーボンナノチューブ以外の成分を除去または分離する精製工程の前、または後、またはその間に行うことを特徴とする請求項５または６に記載のカーボンナノチューブの製造方法。
【請求項８】
前記粉砕したカーボンナノチューブ含有組成物に対して、粒径分布を実質的に維持する手段を施すことを特徴とする請求項５〜７のいずれか１項に記載のカーボンナノチューブの製造方法。
【請求項９】
粉砕の手段が、粒子の微粒化、凝集体の解砕または分級のうち少なくとも一つの方法により行われることを特徴とする請求項１〜８のいずれか１項に記載のカーボンナノチューブの製造方法。
【請求項１０】
粉砕の手段が、ジェットミル法、ビーズミル法のうち少なくともどちらか一方を含むものであることを特徴とする請求項１〜９のいずれか１項に記載のカーボンナノチューブの製造方法。
【請求項１１】
酸化物がシリカ、アルミナ、マグネシア、チタニア、ゼオライトのうち少なくとも１つを含む請求項１〜１０のいずれか１項に記載のカーボンナノチューブの製造方法。
【請求項１２】
炭素含有化合物がメタン、エチレン、アセチレン、ベンゼン、トルエン、メタノール、エタノール、アセトン、一酸化炭素のうち少なくとも１つを含む請求項１〜１１のいずれか１項に記載のカーボンナノチューブの製造方法。
【請求項１３】
請求項１〜１２のいずれか１項に記載した製造方法により得られるカーボンナノチューブ含有組成物であって、カーボンナノチューブの主成分が単層カーボンナノチューブまたは２層カーボンナノチューブであることを特徴とするカーボンナノチューブ含有組成物。
【請求項１４】
カーボンナノチューブの総本数の５０％以上が直径１．０ｎｍ〜１．５ｎｍの単層カーボンナノチューブまたは直径１〜６ｎｍの２層カーボンナノチューブであることを特徴とする請求項１３記載のカーボンナノチューブ含有組成物。
【請求項１５】
請求項１〜１２のいずれか１項に記載した製造方法により得られるカーボンナノチューブ含有組成物、あるいは、請求項１３または１４のいずれか１項に記載のカーボンナノチューブ含有組成物を含む電子放出材料。
【請求項１６】
請求項１〜１２のいずれか１項に記載した製造方法により得られるカーボンナノチューブ含有組成物、あるいは、請求項１３または１４のいずれか１項に記載のカーボンナノチューブ含有組成物を含む電池電極材料。
【請求項１７】
請求項１〜１２のいずれか１項に記載した製造方法により得られるカーボンナノチューブ含有組成物、あるいは、請求項１３または１４のいずれか１項に記載のカーボンナノチューブ含有組成物を含む樹脂組成物。
【請求項１８】
請求項１〜１２のいずれか１項に記載した製造方法により得られるカーボンナノチューブ含有組成物、あるいは、請求項１３〜１４のいずれか１項に記載のカーボンナノチューブ含有組成物を含むコーティング用材料。
【手続補正２】
【補正対象書類名】明細書
【補正対象項目名】０００７
【補正方法】変更
【補正の内容】
【０００７】
上記課題を解決する本発明は、
＜１＞（１）酸化物に粉砕処理を施す工程、および（２）酸化物表面に金属を担持する工程、により得られた金属を担持した酸化物を、５００℃〜１２００℃で炭素含有化合物と接触させカーボンナノチューブを合成することを特徴とするカーボンナノチューブの製造方法。
【手続補正３】
【補正対象書類名】明細書
【補正対象項目名】０００８
【補正方法】変更
【補正の内容】
【０００８】
＜２＞酸化物の粉砕により、該酸化物の粒径分布が、１０μｍ以下の粒子の累積体積が全粒子の総体積の９５％以上であることを特徴とする＜１＞に記載のカーボンナノチューブの製造方法。
【手続補正４】
【補正対象書類名】明細書
【補正対象項目名】０００９
【補正方法】変更
【補正の内容】
【０００９】
＜３＞酸化物の粉砕により、該酸化物の粒径分布が、１μｍ以下の粒子の累積体積が全粒子の総体積の９５％以上であることを特徴とする＜１＞に記載のカーボンナノチューブの製造方法。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
＜４＞粉砕処理後の酸化物の粒径分布を実質的に維持したまま、５００℃〜１２００℃で炭素含有化合物と接触させカーボンナノチューブを合成することを特徴とする＜１＞〜＜３＞のいずれか記載のカーボンナノチューブの製造方法。
【手続補正７】
【補正対象書類名】明細書
【補正対象項目名】００１２
【補正方法】変更
【補正の内容】
【００１２】
＜５＞酸化物に金属を担持し、５００℃〜１２００℃で炭素含有化合物と接触させることによりカーボンナノチューブを合成する方法において、カーボンナノチューブを合成した後でカーボンナノチューブと酸化物を含有する組成物を粉砕して、該酸化物の粒径分布が、１０μｍ以下の粒子の累積体積が全粒子の総体積の９５％以上となるようにすることを特徴とするカーボンナノチューブの製造方法。
【手続補正８】
【補正対象書類名】明細書
【補正対象項目名】００１３
【補正方法】変更
【補正の内容】
【００１３】
＜６＞該酸化物の粒径分布が、１μｍ以下の粒子の累積体積が全粒子の総体積の９５％以上となるようにすることを特徴とする＜５＞に記載のカーボンナノチューブの製造方法。
【手続補正９】
【補正対象書類名】明細書
【補正対象項目名】００１４
【補正方法】変更
【補正の内容】
【００１４】
＜７＞カーボンナノチューブと酸化物を含有する組成物の粉砕を、カーボンナノチューブと酸化物を含む組成物からカーボンナノチューブ以外の成分を除去または分離する精製工程の前、または後、またはその間に行うことを特徴とする＜５＞または＜６＞記載のカーボンナノチューブの製造方法。
【手続補正１０】
【補正対象書類名】明細書
【補正対象項目名】００１５
【補正方法】変更
【補正の内容】
【００１５】
＜８＞前記粉砕したカーボンナノチューブ含有組成物に対して、粒径分布を実質的に維持する手段を施すことを特徴とする＜５＞〜＜７＞のいずれか記載のカーボンナノチューブの製造方法。
【手続補正１１】
【補正対象書類名】明細書
【補正対象項目名】００１６
【補正方法】変更
【補正の内容】
【００１６】
＜９＞粉砕の手段が、粒子の微粒化、凝集体の解砕または分級のうち少なくとも一つの方法により行われることを特徴とする＜１＞〜＜８＞のいずれかに記載のカーボンナノチューブの製造方法。
【手続補正１２】
【補正対象書類名】明細書
【補正対象項目名】００１７
【補正方法】変更
【補正の内容】
【００１７】
＜１０＞粉砕の手段が、ジェットミル法、ビーズミル法のうち少なくともどちらか一方を含むものであることを特徴とする＜１＞〜＜８＞のいずれかに記載のカーボンナノチューブの製造方法。
【手続補正１３】
【補正対象書類名】明細書
【補正対象項目名】００１８
【補正方法】変更
【補正の内容】
【００１８】
＜１１＞酸化物がシリカ、アルミナ、マグネシア、チタニア、ゼオライトのうち少なくとも１つを含む＜１＞〜＜１０＞のいずれかに記載のカーボンナノチューブの製造方法。
【手続補正１４】
【補正対象書類名】明細書
【補正対象項目名】００１９
【補正方法】変更
【補正の内容】
【００１９】
＜１２＞炭素含有化合物がメタン、エチレン、アセチレン、ベンゼン、トルエン、メタノール、エタノール、アセトン、一酸化炭素のうち少なくとも１つを含む＜１＞〜＜１１＞のいずれかに記載のカーボンナノチューブの製造方法。
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】変更
【補正の内容】
【００２３】
＜１３＞＜１＞〜＜１２＞のいずれかに記載した製造方法により得られるカーボンナノチューブ含有組成物であって、カーボンナノチューブの主成分が単層カーボンナノチューブまたは２層カーボンナノチューブであることを特徴とするカーボンナノチューブ含有組成物。
【手続補正１９】
【補正対象書類名】明細書
【補正対象項目名】００２４
【補正方法】変更
【補正の内容】
【００２４】
＜１４＞カーボンナノチューブの総本数の５０％以上が直径１．０ｎｍ〜１．５ｎｍの単層カーボンナノチューブまたは直径１〜６ｎｍの２層カーボンナノチューブであることを特徴とする＜１３＞記載のカーボンナノチューブ含有組成物。
【手続補正２０】
【補正対象書類名】明細書
【補正対象項目名】００２５
【補正方法】変更
【補正の内容】
【００２５】
＜１５＞＜１＞〜＜１２＞のいずれかに記載した製造方法により得られるカーボンナノチューブ含有組成物、あるいは、＜１３＞または＜１４＞記載のカーボンナノチューブ含有組成物を含む電子放出材料。
【手続補正２１】
【補正対象書類名】明細書
【補正対象項目名】００２６
【補正方法】変更
【補正の内容】
【００２６】
＜１６＞＜１＞〜＜１２＞のいずれかに記載した製造方法により得られるカーボンナノチューブ含有組成物、あるいは、＜１３＞または＜１４＞記載のカーボンナノチューブ含有組成物を含む電池電極材料。
【手続補正２２】
【補正対象書類名】明細書
【補正対象項目名】００２７
【補正方法】変更
【補正の内容】
【００２７】
＜１７＞＜１＞〜＜１２＞のいずれかに記載した製造方法により得られるカーボンナノチューブ含有組成物、あるいは、＜１３＞または＜１４＞記載のカーボンナノチューブ含有組成物を含む樹脂組成物。
＜１８＞＜１＞〜＜１２＞のいずれかに記載した製造方法により得られるカーボンナノチューブ含有組成物、あるいは、＜１３＞または＜１４＞記載のカーボンナノチューブ含有組成物を含むコーティング用材料。